(57)【要約】【課題】  本発明は、前記ポインティングデバイスによる座標表示と、前記キーボードによる文字人力を連続して行う場合に速やかに行うことを目的とする。【解決手段】  一領域に配置された複数の入力キーと、指示された位置を示す情報を出力するものであり前記複数の入力キーにおけるホームポジションに手を位置した時の親指の可動範囲部分に配置された前記平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、からなるキーボード部と、カーソルを表示する表示部と、前記平面入力デバイスに対する指の操作に応じて該平面入力デバイスから出力される情報から求まる操作方向と実質的に一致する方向に画面上のカーソルを移動させるカーソル移動手段と、を有する。【選択図】  図１
2006236377.tif 000002
【特許請求の範囲】
【請求項１】
一領域に配置された複数の入力キーと、
指示された位置を示す情報を出力する平面入力デバイスと、
前記複数の入力キーにおけるホームポジションに手を位置した時の親指の可動範囲部分に配置された平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、
からなるキーボード部と、
カーソルを表示する表示部と、
前記平面入力デバイスに対する指の操作に応じて該平面入力デバイスから出力される情報から求まる操作方向と実質的に一致する方向に画面上のカーソルを移動させるカーソル移動手段と、
を有することを特徴とする情報処理装置。
【発明の詳細な説明】
【技術分野】
【０００１】
本発明はディスプレイ上のカーソル移動を行う座標指示装置に関する。
【背景技術】
【０００２】
従来のマウス等のポインティングデバイスはキーボードとポインティングデバイスが、第３図に示す通り全く別であった為、文字を人力する際には、キーボード８'のキー１，２を操作し、マウス３による画面上の座標の指示を行う場合は、キーボード８'からマウス３に手を移動させる必要がある。
【０００３】
例えば、文字を入力する為に、キーボード８'を使用した後に、画面上の位置を指示する必要がある時は、キーボード８'から手を離し、マウス３に持ち替え、座標を指示する。再び文字を入力する時は、手をキーボード８'に戻す。
【発明の開示】
【発明が解決しようとする課題】
【０００４】
さて、キーボードからマウスへ持ち替える時に、マウスの位置を確認する為に、視線をディスプレイからマウスの所へ移さなければならない。又、マウスからキーボードに手を移す時には、手がキーボードのホームポジションにあることを確認する為に視線をディスプレイからキーボードに移さなければならない。
【０００５】
この為、座標指示とキーボードによる人力が混在している場合にはキーボードのみ、あるいはポインティングデバイスのみを操作する場合と比較して大幅に入力効率が低下するという欠点があった。
【０００６】
よって、本発明の目的は、前記ポインティングデバイスによる座標表示と、前記キーボードによる文字人力を連続して行う場合に速やかに行うことである。
【課題を解決するための手段】
【０００７】
上記の目的を達成する為に、本発明は、
一領域に配置された複数の入力キーと、
指示された位置を示す情報を出力する平面入力デバイスと、
前記複数の入力キーにおけるホームポジションに手を位置した時の親指の可動範囲部分に配置された平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、からなるキーボードと、
前記平面入力デバイスに対する指の操作に応じて該平面入力デバイスから出力される情報から求まる操作方向と実質的に一致する方向に画面上のカーソルを移動させるカーソル移動手段と、
を有するよう構成する。
【０００８】
また、
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、からなるキーボードと、
前記平面入力デバイスに対する指の操作に応じて該平面入力デバイスから出力される情報から求まる操作方向と実質的に一致する方向に画面上のカーソルを移動させるカーソル移動手段と、を有するよう構成する。
【０００９】
また、前記領域は前記平面入力デバイスの左右両側面に前記入力キーのない部分を有するよう構成する。
【００１０】
また、前記キーボードの複数の入力キーをＱＷＥＲＴＹ配列とする。
【００１１】
また、前記平面入力デバイスの出力と所定の係数から求まる移動量でカーソルを移動させるよう前記カーソル移動手段を構成する。
【００１２】
また、前記平面入力デバイスから異なるタイミングで出力された位置情報に基づき、二次元座標における各座標に対するカーソルの移動量を算出するよう前記カーソル移動手段を構成する。
【００１３】
また、ホームポジションに手を位置した時に手のひらを置き得る部分を前記領域に構成する。
【００１４】
また、前記手のひらを置き得る部分を前記領域における前記ポインティングデバイスの左右両側面とする。
【００１５】
さらに、カーソルを表示する表示部を備え、前記各構成要件により装置を構成する。
【００１６】
また、
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、
前記平面入力デバイスから出力される位置情報を出力する制御部と、によりキーボードを構成する。
【００１７】
また、前記キーボードは、前記領域に平面入力デバイスの側面に位置する入力キーのない部分を有するよう構成する。
【００１８】
また、前記キーボードは、ポインティングデバイスの出力に応じて画面上のカーソル移動を制御するカーソル移動手段が適用される情報処理装置に接続され、前記制御部からの出力はポインディングデバイスの出力として前記カーソル移動手段に供給するよう構成する。
【発明の効果】
【００１９】
本発明によれば、キーボードとポインティングデバイスによる入力を併用する様な場合に手の指をキーボードのホームポジションから離す必要が無い。又、手を移動させる必要が無い為、其に伴う視線の移動を無くすことが出来、入力を中断せずに操作を行うことが出来る。その為、人力効率を向上させることが出来る。更に、マウス等と異なり指による操作であるので、図形等の入力に於いて、余り熟練を必要とせずに行なえる。又、ポインティングデバイスであるデジタイザなどの平面入力デバイスをキーボードに配置された複数の入力キーの操作者側に設けることにより、その平面入力デバイスの大きさから入力キーのない部分が生まれ、入力キーのない部分に手をおいて文字入力ができ入力作業が簡単になる。
【発明を実施するための最良の形態】
【００２０】
第１図は本発明一実施例の座標指示装置のブロック図である。
【００２１】
第１図中、１，２はキーボードのキー、４はデジタイザベクトル指示装置、５はデジタイザＣＲＴ座標変換装置、６はＣＲＴ、７はデジタイザ、８はキーボード、９はホームポジションに位置した右手である。
【００２２】
第２図は、デジタイザ７，デジタイザベクトル指示装置４，デジタイザＣＲＴ座標変換装置５，ＣＲＴ６の説明図である。デジタイザ７とデジタイザベクトル指示装置４はキーボード１に設けるものとする。デジタイザＣＲＴ座標変換装置５は図示していない情報処理装置に設けるものとする。
【００２３】
以下、図面に従って、本発明の一実施例を説明する。
【００２４】
キー１のホームポジション上に位置した右手９の親指が可動する範囲にデジタイザと親指が接触する接触部（第２図７１）を設け、前記接触部７１は手をホームポジションに位置した状態で、親指を動かせる範囲の広さである。通常、ＱＷＥＲＴＹキーボードに設ける場合は、スペースキーの操作者から見て手前に設け、横幅は親指の長さの２倍、縦幅は親指の長さ，又は，横１０ｃｍ，縦５ｃｍの長方形にし、キーボード８の中間に設ける。
【００２５】
以下、座標入力の具体的な動作例を説明する。
【００２６】
ＣＲＴ６にカーソル６１が表示されたとすると、従来では、操作者はマウス等のポインティングデバイスによって座標を入力するが、本実施例では接触部７１を親指でなぞることによって座標を入力する。
【００２７】
接触部７１に接触している親指の位置はデジタイザ７の制御回路７２によって、デジタイザベクトル指示装置４のレジスタ４１に接触部７１の座標として入力される。
【００２８】
前記レジスタ４１に記憶された座標（Ｘ，Ｙ）はサンプリング・クロック発生回路４５によって、レジスタ４２に入力される。前記レジスタ４２の値は、次のクロックで転送制御回路４３を経て、レジスタ４４に入力される。
【００２９】
接触部７１上を親指が移動しているとすれば、レジスタ４２には、サンプリング・クロック発生回路のクロック発信時間に合わせて、異なる接触部７１上の異なる座標（Ｘ'，Ｙ'）が入力される。
【００３０】
次いで、比較回路４９は、前記レジスタ４４に記憶されている座標（Ｘ，Ｙ）からレジスタ４２に記憶されている座標（Ｘ'，Ｙ'）を減算し、ベクトル（ΔＸ，ΔＹ）を求める。前記ベクトル（ΔＸ，ΔＹ）はｌクロックに親指が接触部７１上を移動した距離である。
【００３１】
前記ベクトル（ΔＸ，ΔＹ）は、デジタイザＣＲＴ座標変換装置５内の変換回路５１に入力され、ＣＲＴ画面の形，大きさに応じて変換される。前記座標変換は（ΔＰＸ，ΔＰＹ）＝（αΔＸ＋γ，βΔＹ＋ε）で与えられる。α，β，γ，εは接触部７１の大きさ，形によって決定される。次いで、前記ベクトル（ΔＰＸ，ΔＰＹ）は、レジスタ５３に入力される。レジスタ５２に記憶されている現在ＣＲＴ上に表示されているカーソルの座標（ＰＸ，ＰＹ）と前記ベクトル（ΔＰＸ，ΔＰＹ）は、演算回路５５によって加算され、レジスタ５４に（ＰＸ'，ＰＹ'）として格納される。
【００３２】
前記座標（ＰＸ'，ＰＹ'）はＣＲＴ６の画面上に表示される。
【００３３】
又、前記座標（ＰＸ'，ＰＹ'）はレジスタ５２に格納され、その後、新たに人力されるベクトル（ΔＰＸ'，ΔＰＹ'）と加算される。
【００３４】
前記レジスタ５２の現在のカーソルの座標は、最初にベクトル（ΔＰＸ，ΔＰＹ）が、入力される時は、予め決められた値に設定しても良いし、以前にカーソルが位置した位置を記憶しておいても良い。
【００３５】
以上、本発明の実施例と、実施例を使用したカーソルの表示例を説明した。
【００３６】
実施例では、接触部７１の横幅を親指の２倍、縦幅を親指の長さとしたが、これに限るものでは無く、手をホームポジションに位置した時に、親指が可動な範囲であれば良い。本発明は本発明の実施例に従い、種々の変形が可能であり、それらを排除するものでは無い。
【００３７】
以下に本発明を付記する。
（付記１）
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、
からなるキーボードと、
前記平面入力デバイスに対する指の操作に応じて該平面入力デバイスから出力される情報から求まる操作方向と実質的に一致する方向に画面上のカーソルを移動させるカーソル移動手段と、
を有することを特徴とする座標指示装置。
（付記２）
一領域に配置された複数の入力キーと、
指示された位置を示す情報を出力する平面入力デバイスと、
前記複数の入力キーにおけるホームポジションに手を位置した時の親指の可動範囲部分に配置された平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、
からなるキーボードと、
前記平面入力デバイスに対する指の操作に応じて該平面入力デバイスから出力される情報から求まる操作方向と実質的に一致する方向に画面上のカーソルを移動させるカーソル移動手段と、
を有することを特徴とする座標指示装置。
（付記３）
前記領域は前記平面入力デバイスの左右両側面に前記入力キーのない部分を有することを特徴とする付記２記載の座標指示装置。
（付記４）
前記キーボードの複数の入力キーはＱＷＥＲＴＹ配列であることを特徴とする付記１または２記載の座標指示装置。
（付記５）
前記カーソル移動手段は、前記平面入力デバイスの出力と所定の係数から求まる移動量でカーソルを移動させることを特徴とする付記１または２記載の座標指示装置。
（付記６）
前記カーソル移動手段は、前記平面入力デバイスから異なるタイミングで出力された位置情報に基づき、二次元座標における各座標に対するカーソルの移動量を算出することを特徴とする付記１または２記載の座標指示装置。
（付記７）
一領域に配置された複数の入力キーと、
指示された位置を示す情報を出力するポインティングデバイスと、
前記複数の入力キーにおけるホームポジションに手を位置した時の親指の可動範囲部分に前記ポインティングデバイスが配置され、前記複数の入力キーの配置位置から操作者側に位置するものであり、前記ポインティングデバイスの縦幅より長い幅を有して該ホームポジションに手を位置した時に手のひらを置き得る領域と、
からなるキーボードと、
前記ポインティングデバイスに対する指の操作に応じて該ポインティングデバイスから出力される情報から求まる操作方向と実質的に一致する方向に画面上のカーソルを移動させるカーソル移動手段と、
を有することを特徴とする座標指示装置。
（付記８）
前記手のひらを置き得る部分は前記領域における前記ポインティングデバイスの左右両側面であることを特徴とする付記７記載の座標指示装置。
（付記９）
前記キーボードの複数の入力キーはＱＷＥＲＴＹ配列であることを特徴とする付記７記載の座標指示装置。
（付記１０）
前記カーソル移動手段は、前記ポインティングデバイスの出力と所定の係数から求まる移動量でカーソルを移動させることを特徴とする付記７記載の座標指示装置。
（付記１１）
前記カーソル移動手段は、前記ポインティングデバイスから異なるタイミングで出力された位置情報に基づき、二次元座標における各座標に対するカーソルの移動量を算出することを特徴とする付記７記載の座標指示装置。
（付記１２）
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、
からなるキーボード部と、
カーソルを表示する表示部と、
前記平面入力デバイスに対する指の操作に応じて該平面入力デバイスから出力される情報から求まる操作方向と実質的に一致する方向に画面上のカーソルを移動させるカーソル移動手段と、
を有することを特徴とする情報処理装置。
（付記１３）
一領域に配置された複数の入力キーと、
指示された位置を示す情報を出力する平面入力デバイスと、
前記複数の入力キーにおけるホームポジションに手を位置した時の親指の可動範囲部分に配置された平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、
からなるキーボード部と、
カーソルを表示する表示部と、
前記平面入力デバイスに対する指の操作に応じて該平面入力デバイスから出力される情報から求まる操作方向と実質的に一致する方向に画面上のカーソルを移動させるカーソル移動手段と、
を有することを特徴とする情報処理装置。
（付記１４）
前記領域は前記平面入力デバイスの左右両側面に前記入力キーのない部分を有することを特徴とする付記１３記載の情報処理装置。
（付記１５）
前記キーボード部の複数の入力キーはＱＷＥＲＴＹ配列であることを特徴とする付記１２または１３記載の情報処理装置。
（付記１６）
前記カーソル移動手段は、前記平面入力デバイスの出力と所定の係数から求まる移動量でカーソルを移動させることを特徴とする付記１２または１３記載の情報処理装置。
（付記１７）
前記カーソル移動手段は、前記平面入力デバイスから異なるタイミングで出力された位置情報に基づき、二次元座標における各座標に対するカーソルの移動量を算出することを特徴とする付記１２または１３記載の情報装置。
（付記１８）
一領域に配置された複数の入力キーと、
指示された位置を示す情報を出力するポインティングデバイスと、
前記複数の入力キーにおけるホームポジションに手を位置した時の親指の可動範囲部分に前記ポインティングデバイスが配置され、前記複数の入力キーの配置位置から操作者側に位置するものであり、前記ポインティングデバイスの縦幅より長い幅を有して該ホームポジションに手を位置した時に手のひらを置き得る領域と、
からなるキーボード部と、
カーソルを表示する表示部と、
前記ポインティングデバイスに対する指の操作に応じて該ポインティングデバイスから出力される情報から求まる操作方向と実質的に一致する方向に画面上のカーソルを移動させるカーソル移動手段と、
を有することを特徴とする情報処理装置。
（付記１９）
前記手のひらを置き得る部分は前記領域における前記ポインティングデバイスの左右両側面であることを特徴とする付記１８記載の情報処理装置。
（付記２０）
前記キーボード部の複数の入力キーはＱＷＥＲＴＹ配列であることを特徴とする付記１８記載の情報処理装置。
（付記２１）
前記カーソル移動手段は、前記ポインティングデバイスの出力と所定の係数から求まる移動量でカーソルを移動させることを特徴とする付記１８記載の情報処理装置。
（付記２２）
前記カーソル移動手段は、前記ポインティングデバイスから異なるタイミングで出力された位置情報に基づき、二次元座標における各座標に対するカーソルの移動量を算出することを特徴とする付記１８記載の情報処理装置。
（付記２３）
ポインティングデバイスの出力に応じて画面上のカーソル移動を制御するカーソル移動手段が適用される情報処理装置であって、
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、
からなるキーボード部と、
カーソルを表示する表示部と、
を有することを特徴とする情報処理装置。
（付記２４）
前記領域は該平面入力デバイスの側面に位置する入力キーのない部分を有することを特徴とする付記２３記載の情報処理装置。
（付記２５）
前記領域は前記ホームポジションに手を位置した時に手のひらを置き得ることを特徴とする付記２３記載の情報処理装置。
（付記２６）
前記手のひらを置き得る部分は前記領域における前記平面入力デバイスの左右両側面であることを特徴とする付記２５記載の情報処理装置。
（付記２７）
前記キーボード部の複数の入力キーはＱＷＥＲＴＹ配列であることを特徴とする付記２３記載の情報処理装置。
（付記２８）
前記カーソル移動手段は、前記平面入力デバイスの出力と所定の係数から求まる移動量でカーソルを移動させることを特徴とする付記２３記載の情報処理装置。
（付記２９）
前記カーソル移動手段は、前記平面入力デバイスから異なるタイミングで出力された位置情報に基づき、二次元座標における各座標に対するカーソルの移動量を算出することを特徴とする付記２３記載の情報処理装置。
（付記３０）
一領域に配置された複数の入力キーと、
指示された位置を示す情報を出力する平面入力デバイスと、
前記複数の入力キーにおけるホームポジションに手を位置した時の親指の可動範囲部分に前記平面入力デバイスが配置され、前記複数の入力キーの配置位置から操作者側に位置するものであり、前記平面入力デバイスの縦幅より長い幅を有する領域と、
前記平面入力デバイスから出力される位置情報を出力する制御部と、
を有することを特徴とするキーボード。
（付記３１）
一領域に配置された複数の入力キーと、
指示された位置を示す情報を出力する平面入力デバイスと、
前記複数の入力キーにおけるホームポジションに手を位置した時の親指の可動範囲部分に配置された平面入力デバイスと、前記複数の入力キーの配置位置から操作者側に位置するとともに前記平面入力デバイスの縦幅より長い幅を有して該平面入力デバイスの側面に位置する入力キーのない部分とを有する領域と、
前記平面入力デバイスから出力される位置情報を出力する制御部と、
を有することを特徴とするキーボード。
（付記３２）
ポインティングデバイスの出力に応じて画面上のカーソル移動を制御するカーソル移動手段が適用される情報処理装置に接続され、
前記制御部からの出力はポインディングデバイスの出力として前記カーソル移動手段に供給されることを特徴とする付記３０または３１記載のキーボード。
（付記３３）
前記領域は前記平面入力デバイスの左右両側面に前記入力キーのない部分を有することを特徴とする付記３０または３１記載のキーボード。
（付記３４）
一領域に配置された複数の入力キーと、
指示された位置を示す情報を出力するポインティングデバイスと、
前記複数の入力キーにおけるホームポジションに手を位置した時の親指の可動範囲部分に前記ポインティングデバイスが配置され、前記複数の入力キーの配置位置から操作者側に位置するものであり、前記ポインティングデバイスの縦幅より長い幅を有して該ホームポジションに手を位置した時に手のひらを置き得る領域と、
前記ポインティングデバイスから出力される位置情報を出力する制御部と、
を有することを特徴とするキーボード。
（付記３５）
前記手のひらを置き得る部分は前記領域における前記ポインティングデバイスの左右両側面であることを特徴とする付記３４記載のキーボード。
（付記３６）
ポインティングデバイスの出力に応じて画面上のカーソル移動を制御するカーソル移動手段が適用される情報処理装置に接続され、
前記制御部からの出力はポインディングデバイスの出力として前記カーソル移動手段に供給されることを特徴とする付記３４記載のキーボード。
【図面の簡単な説明】
【００３８】
【図１】本願発明の一実施例であるデジタイザに座標指示させる座標指示装置のブロック図である。
【図２】キーボードを用いて座標を表示させる為に必要な装置のブロック図である。
【図３】従来のキーボードである。
【符号の説明】
【００３９】
１，２・・・キー
３・・・マウス
４・・・デジタイザベクトル指示装置
５・・・デジタイザＣＲＴ座標変換装置
６・・・ＣＲＴ
７・・・デジタイザ
８・・・キーボード
【図１】
2006236377.tif 000003
【図２】
2006236377.tif 000004
【図３】
2006236377.tif 000005